(57)【要約】【課題】主に、ギアシャフトの取付を容易化し得るようにする。【解決手段】ギアシャフト２が、シャフト取付用筒部６に対し、一端側に開口部２２ａを有してギアシャフト２を内部に収容保持可能な治具本体筒部２２と、治具本体筒部２２の他端側に設けられて治具本体筒部２２の内部に収容保持されたギアシャフト２をシャフト取付用筒部６の内部へと押込可能な治具操作部２３とを有する取付治具２１を用いて取付けられるものとされる。そのために、ギアシャフト２が、弾接部材１６と協働して治具本体筒部２２の内部での位置保持が可能な治具保持部２５を有する。シャフト取付用筒部６が、ギアシャフト２の押込時に、治具本体筒部２２の一端側をシャフト取付用筒部６の手前側開口部に対して連接可能な治具連接部２６を有する。【選択図】図１
2013016101.tif 000002
【特許請求の範囲】
【請求項１】
ベース部材に設けられたシャフト取付用筒部の内部に、ギアシャフトを挿入配置し、
前記シャフト取付用筒部に対して前記ギアシャフトを、シャフト軸支部によって回転可能で且つ軸線方向へ移動不能に係止保持すると共に、節度感発生部によって、ギアシャフトの回転に伴い節度感が発生されるように構成し、
前記節度感発生部が、前記シャフト取付用筒部の内周面に対し、周方向に沿って複数設けられた軸線方向へ延びる節度感発生用溝部と、前記ギアシャフトから半径方向へ突設された筒状保持部材と、該筒状保持部材の内部に弾性体を介して出入自在に収容保持されることにより、前記シャフト取付用筒部の内周面の前記節度感発生用溝部が設けられた部分に弾性体の弾性力によって弾接可能な弾接部材とを備えたギアシャフト取付部構造において、
前記ギアシャフトが、前記シャフト取付用筒部に対し、
一端側に開口部を有して前記ギアシャフトを内部に収容保持可能な治具本体筒部と、該治具本体筒部の他端側に設けられて治具本体筒部の内部に収容保持された前記ギアシャフトを前記シャフト取付用筒部の内部へと押込可能な治具操作部とを有する取付治具を用いて取付けられるものとされ、
前記ギアシャフトが、前記弾接部材と協働して前記治具本体筒部の内部での位置保持が可能な治具保持部を有し、
前記シャフト取付用筒部が、前記ギアシャフトの押込時に、前記治具本体筒部の一端側を前記シャフト取付用筒部の手前側開口部に対して連接可能な治具連接部を有することを特徴とするギアシャフト取付部構造。
【請求項２】
前記治具保持部が、前記ギアシャフトの外周部に張出形成されて、前記治具本体筒部の内部に摺接嵌合されると共に、前記シャフト取付用筒部の手前側開口部の端面に当接係止可能な大径フランジ部とされ、
前記治具連接部が、前記シャフト取付用筒部の手前側開口部の端面から前記大径フランジ部の外周に沿って手前側に突出すると共に、治具本体筒部の内部に摺接嵌合可能な筒状突出壁部とされ、
更に、前記大径フランジ部と前記筒状突出壁部とが、前記治具本体筒部に設けられた位置規定部を介して、周方向の位置決めが可能な取付位置決定部をそれぞれ有することを特徴とする請求項１記載のギアシャフト取付部構造。
【請求項３】
前記シャフト軸支部が、
前記シャフト取付用筒部の奥部に対し軸線方向に複数段設けられた爪部と、
前記ギアシャフトの外周部に張出形成されて前記複数段の爪部のそれぞれに対し回転可能で且つ軸線方向へ移動不能に係止可能な複数段の小径フランジ部とを備え、
前記治具本体筒部の一端側を前記シャフト取付用筒部の手前側開口部に対して連接した時に、最も手前側の爪部と最も奥側の小径フランジ部とが係止されて、前記ギアシャフトが仮保持されるよう構成され、
前記最も手前側の爪部に、上記仮保持の際に、前記ギアシャフトの概略の芯出しを行わせる傾斜面部を有することを特徴とする請求項１または請求項２記載のギアシャフト取付部構造。
【請求項４】
前記大径フランジ部が、その治具操作部側の面に、治具操作部に対して当接することにより、前記ギアシャフトの仮保持位置を設定すると共に、治具操作部とギアシャフトの他の部分との接触を防止可能なシャフト位置設定部を有することを特徴とする請求項３記載のギアシャフト取付部構造。
【請求項５】
前記弾接部材が、前記治具本体筒部の内部で、他端側へ進むに従い中心へ向かう短い導入用斜面部と、該導入用斜面部の他端側に位置して、他端側へ向かって緩やかに半径方向外方へ向かう案内面部とを有する弾接部材案内保持部によって軸線方向に案内および保持されることを特徴とする請求項１ないし請求項４のいずれか１項に記載のギアシャフト取付部構造。
【請求項６】
前記弾接部材が、導入用斜面部と案内面部との間に設けられた角取部によって滑らかに案内面部へと移行され、該案内面部の他端寄りの位置に設けられた案内面部とは逆勾配の緩い停止用傾斜面部によって自然停止されることを特徴とする請求項５記載のギアシャフト取付部構造。
【請求項７】
前記弾接部材が、案内面部に設けられた軸線方向へ延びる溝部によって軸線方向に案内されると共に、周方向の位置が安定されることを特徴とする請求項５記載のギアシャフト取付部構造。
【請求項８】
前記弾接部材が、前記治具本体筒部の外周面に設けられた軸線方向へ延びる装着補助溝部を利用して筒状保持部材に装着されることを特徴とする請求項１ないし請求項７のいずれか１項に記載のギアシャフト取付部構造。
【発明の詳細な説明】
【技術分野】
【０００１】
この発明は、ギアシャフトの取付を容易化し得るようにしたギアシャフト取付部構造に関するものである。
【背景技術】
【０００２】
自動車などの車両には、車室内の前部にインストルメントパネルが設置されている。このインストルメントパネルの運転席と助手席との間の部分などには、空調装置の操作パネル（空調コントロールパネル）が設けられている。この操作パネルには、ダイヤルを回転させて空調モードや風量などを設定、変更し得るようにした回転ダイヤル式のものが存在している（例えば、特許文献１参照）。
【０００３】
上記した操作パネルは、ベース部材に設けられたシャフト取付用筒部の内部に、ギアシャフトを挿入配置すると共に、節度感発生部によって、ギアシャフトの回転に伴い節度感が発生されるようにしている。
【０００４】
この節度感発生部は、シャフト取付用筒部の内周面に対し、周方向に沿って複数設けられた軸線方向へ延びる節度感発生用溝部と、ギアシャフトから半径方向へ突設された筒状保持部材と、筒状保持部材の内部にスプリングを介して出入自在に収容保持されたボールとを備えている。そして、筒状保持部材に収容されたボールが、スプリングの付勢力によって節度感発生用溝部に弾接するよう構成されている。
【０００５】
このような構成によれば、節度感発生部によって、ギアシャフトの回転に伴い節度感が発生される。
【０００６】
節度感発生部では、筒状保持部材にスプリングを介して出入自在に収容保持されたボールが、節度感発生用溝部に弾接した状態で周方向に相対変位する際に、節度感発生用溝部を乗越えることにより、節度感を発生させる。
【先行技術文献】
【特許文献】
【０００７】
【特許文献１】特開平１０−３０１６５１号公報
【発明の概要】
【発明が解決しようとする課題】
【０００８】
しかしながら、上記特許文献１に記載されたギアシャフト取付部構造では、以下のような問題があった。
【０００９】
即ち、ベース部材に設けられたシャフト取付用筒部の内部に、ギアシャフトを挿入配置する際に、筒状保持部材にスプリングを介してボールを収容させた状態に保ち続けなければならず、作業がやり難いという問題があった。
【００１０】
そのため、シャフト取付用筒部の先端部に、ボールを案内および保持するための傾斜したボールガイドを設けるようにしているが、このボールガイドは、ベース部材の形状が複雑であるような場合などには、うまく設けられなかったり、うまく機能しなかったりするなどの問題があると共に、組付後には邪魔になるという問題があった。
【課題を解決するための手段】
【００１１】
上記課題を解決するために、本発明は、ベース部材に設けられたシャフト取付用筒部の内部に、ギアシャフトを挿入配置し、前記シャフト取付用筒部に対して前記ギアシャフトを、シャフト軸支部によって回転可能で且つ軸線方向へ移動不能に係止保持すると共に、節度感発生部によって、ギアシャフトの回転に伴い節度感が発生されるように構成し、前記節度感発生部が、前記シャフト取付用筒部の内周面に対し、周方向に沿って複数設けられた軸線方向へ延びる節度感発生用溝部と、前記ギアシャフトから半径方向へ突設された筒状保持部材と、該筒状保持部材の内部に弾性体を介して出入自在に収容保持されることにより、前記シャフト取付用筒部の内周面の前記節度感発生用溝部が設けられた部分に弾性体の弾性力によって弾接可能な弾接部材とを備えたギアシャフト取付部構造において、前記ギアシャフトが、前記シャフト取付用筒部に対し、一端側に開口部を有して前記ギアシャフトを内部に収容保持可能な治具本体筒部と、該治具本体筒部の他端側に設けられて治具本体筒部の内部に収容保持された前記ギアシャフトを前記シャフト取付用筒部の内部へと押込可能な治具操作部とを有する取付治具を用いて取付けられるものとされ、前記ギアシャフトが、前記弾接部材と協働して前記治具本体筒部の内部での位置保持が可能な治具保持部を有し、前記シャフト取付用筒部が、前記ギアシャフトの押込時に、前記治具本体筒部の一端側を前記シャフト取付用筒部の手前側開口部に対して連接可能な治具連接部を有することを特徴とする。
【発明の効果】
【００１２】
本発明によれば、上記構成によって、以下のような作用効果を得ることができる。即ち、ギアシャフトは、シャフト取付用筒部に対し、取付治具を用いて取付けられる。取付治具は、治具本体筒部の一端側に設けられた開口部からギアシャフトを治具本体筒部の内部へ収容保持する。そして、治具本体筒部の他端側に設けられた治具操作部によって、治具本体筒部の内部に収容保持されたギアシャフトを、シャフト取付用筒部の内部へ押込むようにする。この際、ギアシャフトは、治具保持部によって、弾接部材と協働して治具本体筒部の内部での位置保持を行う。ギアシャフトの押込時には、治具本体筒部の一端側をシャフト取付用筒部の手前側開口部に設けられた治具連接部に対して連接させて、ギアシャフトの軸線方向の位置を合わせるようにようにする。この際、シャフト取付用筒部へのギアシャフトの取付けに、取付治具を用いるようにしているので、ベース部材やシャフト取付用筒部の形状が複雑であっても、ギアシャフトの取付を容易化することが可能となる。
【図面の簡単な説明】
【００１３】
【図１】本発明の実施例にかかるギアシャフト取付部構造の分解斜視図である。
【図２】図１の組立後の状態を示す図である。
【図３】図１の部分拡大図である。
【図４】図１のギアシャフトの斜視図である。
【図５】取付治具の斜視図である。
【図６】図５の側面図である。
【図７】図６の断面図である。
【図８】図５を一端側からみた斜視図である。
【図９】図８の取付治具にギアシャフトをセットした状態を示す図である。
【図１０】図７の部分拡大図である。
【図１１】（ａ）（ｂ）は、図１０のＡ−Ａ線に沿った断面を示すものである。
【図１２】取付治具にギアシャフトを取付ける行程を示す作動図である。
【図１３】図１２に続く作動図である。
【図１４】図１３に続く作動図である。
【図１５】図１４に続く作動図である。
【発明を実施するための形態】
【００１４】
以下、本発明を具体化した実施例を、図面を用いて詳細に説明する。
【００１５】
図１〜図１５は、この実施例およびその変形例を示すものである。
【実施例】
【００１６】
＜構成＞以下、構成について説明する。
【００１７】
自動車などの車両には、車室内の前部にインストルメントパネルが設置されている。このインストルメントパネルの運転席と助手席との間の部分などには、空調装置の操作パネル（空調コントロールパネル）が設けられている。この操作パネルには、ダイヤルを回転させて空調モードや風量などを設定、変更し得るようにした回転ダイヤル式のものが存在している。
【００１８】
上記した回転ダイヤル式の操作パネルは、図１に示すように、ベース部材１と、ギアシャフト２と、図示しない表面パネルと、図示しないダイヤルとを有している。
【００１９】
上記した操作パネルでは、ベース部材１に設けられたシャフト取付用筒部６の内部に、図２に示すように、ギアシャフト２が挿入配置されるようになっている。その後、ベース部材１の表面に、上記した表面パネルが取付けられ、更に、表面パネルの表面側から上記したダイヤルがギアシャフト２の手前側端部に取付けられる。
【００２０】
この際、図３（図４も併せて参照）に示すように、シャフト取付用筒部６に対してギアシャフト２を、シャフト軸支部７によって回転可能で且つ軸線方向８へ移動不能に係止保持するようにしている。また、節度感発生部９によって、ギアシャフト２の回動に伴い節度感が発生されるようにしている。
【００２１】
なお、シャフト軸支部７については後述する。
【００２２】
そして、上記した節度感発生部９は、シャフト取付用筒部６の内周面に対し、周方向１１に沿って複数設けられた節度感発生用溝部１２と、ギアシャフト２から半径方向１３へ突設された筒状保持部材１４と、筒状保持部材１４の内部に弾性体１５を介して出入自在に収容保持された弾接部材１６とを備えている。節度感発生用溝部１２は、軸線方向８へ延びるものとされる。弾接部材１６は、シャフト取付用筒部６の内周面の節度感発生用溝部１２が設けられた部分に対して、弾性体１５の弾性力によって弾接可能なものである。そして、この筒状保持部材１４と、弾性体１５と、弾接部材１６とによって、ギアシャフト２側の弾接部が構成される。
【００２３】
ここで、主に図４に示すように、上記したギアシャフト２は、奥側の端部に、操作用のギヤ部２ａを有している。また、ギアシャフト２は、手前側の端部にダイヤルを取付けるためのダイヤル取付部２ｂを有している。この場合、ダイヤル取付部２ｂは先割形状のものとされているが、これに限るものではない（例えば小判型の断面を有するものなどとすることができる）。
【００２４】
また、主に図３に示すように、シャフト取付用筒部６は、円筒状のものとされている。そして、上記したギアシャフト２は、シャフト取付用筒部６に対して、軸線を合わせた状態で挿入配置される。
【００２５】
シャフト軸支部７および節度感発生部９は、シャフト取付用筒部６の内側とギアシャフト２の外側との間に設けられる。そして、シャフト軸支部７はシャフト取付用筒部６の奥側に設けられ、また、節度感発生部９はシャフト取付用筒部６の手前側に設けられている。
【００２６】
複数の節度感発生用溝部１２は、全体として多角状のものとされている。この多角状の節度感発生用溝部１２は、各辺を、内方へ突出する円弧状や、台形状や、面取した台形状などとすることができる。
【００２７】
弾性体１５には、コイルスプリングが用いられている。弾接部材１６には、ボールが使用されている。但し、弾接部材１６は、ボールに限るものではなく、例えば、先端が丸められたピン状のものなどとすることができる。
【００２８】
筒状保持部材１４（この場合には、ボール保持部材）は、内部に弾性体１５を収容可能な円筒状の空間を有する角筒状の外形のものとされている。但し、筒状保持部材１４の外形形状は、これに限るものではない。筒状保持部材１４には、必要に応じて、先端側に部分的な割れ目などを形成することができる。
【００２９】
そして、以上のような基本構成に対し、この実施例のものでは、以下のような構成を備えるようにしている。
【００３０】
（構成１）
上記したギアシャフト２が、シャフト取付用筒部６に対し、図５〜図１１（主に図７参照。以下同様）に示すような取付治具２１を用いて取付けられるものとされる。この取付治具２１は、一端側に開口部２２ａを有してギアシャフト２を内部に収容保持可能な治具本体筒部２２と、治具本体筒部２２の他端側に設けられた治具操作部２３とを有するものとされる。この治具操作部２３は、治具本体筒部２２の内部に収容保持されたギアシャフト２をシャフト取付用筒部６の内部へと押込可能なものである。
【００３１】
そして、図３に示すように、ギアシャフト２が、治具保持部２５を有するものとされる。この治具保持部２５は、弾接部材１６と協働して治具本体筒部２２の内部での位置保持が可能なものとされる。
【００３２】
また、シャフト取付用筒部６が、治具連接部２６を有するものとされる。この治具連接部２６は、ギアシャフト２の押込時に、治具本体筒部２２の一端側をシャフト取付用筒部６の手前側開口部に対して連接可能なものとされる。
【００３３】
ここで、図５〜図１１に示すように、上記した取付治具２１の治具本体筒部２２は、円筒状のものとされる。
【００３４】
また、治具操作部２３は、図７に示すように、中空の軸部２３ａと、操作面部２３ｂと、復帰バネ２３ｃとを有するものとされる。中空の軸部２３ａは、ギアシャフト２の手前側の部分（ダイヤル取付部２ｂなど）を非接触状態で収容可能なものである。操作面部２３ｂは、軸部２３ａの他端側にネジ止めなどによって固定される。復帰バネ２３ｃは、軸部２３ａの外周に装着されると共に、治具本体筒部２２の他端面と操作面部２３ｂとの間に介装されて、操作面部２３ｂを治具本体筒部２２の他端面から離反する方向へ付勢するものである。
【００３５】
上記した軸部２３ａは、治具本体筒部２２の他端面に設けられた貫通孔２２ｃから治具本体筒部２２の内部へ挿入される。軸部２３ａの治具本体筒部２２の内部へ挿入された一端側には、抜止用およびギアシャフト２を押圧するためのフランジ状の押圧部２３ｄが設けられている。なお、取付治具２１には、その各部に、軽量化のための抜孔などを適宜設けるようにしても良い。
【００３６】
（構成２）
上記において、図３または図４に示すように、上記したギアシャフト２の治具保持部２５が、ギアシャフト２の外周部に張出形成されて、治具本体筒部２２の内部に摺接嵌合されると共に、シャフト取付用筒部６の手前側開口部の端面に当接係止可能な大径フランジ部２８とされる。
【００３７】
また、図３に示すように、上記したシャフト取付用筒部６の治具連接部２６が、シャフト取付用筒部６の手前側開口部の端面から大径フランジ部２８の外径とほぼ等しい内径を有して手前側へ突出すると共に、治具本体筒部２２の内部に摺接嵌合可能な筒状突出壁部２９とされる。
【００３８】
更に、上記した大径フランジ部２８と筒状突出壁部２９とが、治具本体筒部２２に設けられた位置規定部３１（図７など参照）を介して、周方向１１の位置決めが可能な取付位置決定部３２，３３をそれぞれ有している。
【００３９】
ここで、治具保持部２５となる大径フランジ部２８の取付位置決定部３２は、大径フランジ部２８を切欠いてなる切欠部３２ａとされる。この切欠部３２ａは、上記した筒状保持部材１４と周方向１１に合致する位置に設けられる。
【００４０】
また、治具連接部２６となる筒状突出壁部２９の取付位置決定部３３は、筒状突出壁部２９に切込を入れてなる切込部３３ａとされる。切欠部３２ａと切込部３３ａとは、治具本体筒部２２の位置規定部３１を介して周方向１１の位置を合わせることにより、同時に位置決めされる。
【００４１】
そして、取付治具２１の治具本体筒部２２は、大径フランジ部２８の外周とほぼ径が等しいか若干径の大きい内周面を有すると共に、一端側の開口部２２ａの内周面に、筒状突出壁部２９の端面および外周面に当接可能な短い段差形状の拡径部２２ｄを有している。
【００４２】
治具本体筒部２２の位置規定部３１は、拡径部２２ｄおよびその周辺の部分に設けられた突状嵌合部３１ａを有している。この突状嵌合部３１ａは、大径フランジ部２８の切欠部３２ａと、筒状突出壁部２９の切込部３３ａとに対して嵌合可能な大きさおよび形状のものとされる。
【００４３】
（構成３）
そして、上記したシャフト取付用筒部６とギアシャフト２との間のシャフト軸支部７が、図３に示すように、シャフト取付用筒部６の奥部に対し軸線方向８に複数段設けられた爪部３５，３６と、図４に示すように、ギアシャフト２の外周部に張出形成されて複数段の爪部３５，３６のそれぞれに対し回転可能で且つ軸線方向８へ移動不能に係止可能な複数段の小径フランジ部３７，３８とを備えている。
【００４４】
そして、治具本体筒部２２の一端側の開口部２２ａをシャフト取付用筒部６の手前側開口部に対して連接した時に、最も手前側の爪部３６と最も奥側の小径フランジ部３７とが係止されて、ギアシャフト２が軸線方向８および半径方向に仮保持されるよう構成されている。
【００４５】
また、最も手前側の爪部３６には、上記仮保持の際に、ギアシャフト２の概略の芯出しを行わせる傾斜面部３６ａが設けられている。
【００４６】
この場合、爪部３５，３６と、小径フランジ部３７，３８とはそれぞれ二段に設けられている。
【００４７】
そして、二段の爪部３５，３６は、係止方向が軸線方向８に対してそれぞれ逆向きとされている。即ち、手前側の爪部３６は、手前側の小径フランジ部３８の手前側の面に係止することにより、ギアシャフト２の引抜きを防止可能なものとされている。また、奥側の爪部３５は、奥側の小径フランジ部３７の奥側の面に係止することにより、ギアシャフト２のそれ以上の押込みを防止可能なものとされている。
【００４８】
上記した爪部３５，３６は、シャフト取付用筒部６の奥部に同心状に設けられた内筒４１に設けられている。この内筒４１は、リブ状の内筒支持部４２によってシャフト取付用筒部６に一体に形成されている。この場合、二段の爪部３５，３６は、各段でそれぞれ周方向１１の位相を１８０度ズラせて２個ずつ設けられると共に、全体として周方向１１の位相を９０度ズラせて十文字状に配置されている。
【００４９】
また、手前側の爪部３６の傾斜面部３６ａは、奥側へ進むに従い内方へ近づくものとされる。
【００５０】
（構成４）
上記において、ギアシャフト２の大径フランジ部２８が、その治具操作部２３側の面に、シャフト位置設定部４４を有している。このシャフト位置設定部４４は、治具操作部２３に対して当接することにより、ギアシャフト２の仮保持位置を設定すると共に、治具操作部２３とギアシャフト２の他の部分との接触を防止可能なものである。
【００５１】
ここで、上記したシャフト位置設定部４４は、ギアシャフト２と同心の厚肉状の環状部４４ａとされる。シャフト位置設定部４４の環状部４４ａは、軸線方向の上記した仮保持位置を設定可能な厚さとされる。シャフト位置設定部４４は、治具操作部２３のフランジ状の押圧部２３ｄとほぼ同じかそれよりも若干径の大きいものとされて、押圧部２３ｄに対して当接される。
【００５２】
ギアシャフト２の他の部分とは、主に、ギアシャフト２の大径フランジ部２８よりも手前側の軸部分や、その端部に設けられたダイヤル取付部２ｂなどを指している。これにより、取付時におけるダイヤル取付部２ｂの損傷防止が図られる。
【００５３】
（構成５）
上記において、ボールなどの弾接部材１６が、治具本体筒部２２の内部で、図７に示すように、他端側（操作面部２３ｂの側）へ進むに従い中心へ向かう短い導入用斜面部４６と、導入用斜面部４６の他端側に位置して、他端側へ向かって緩やかに半径方向１３外方へ向かう案内面部４７とを有する弾接部材案内保持部４８によって軸線方向８に案内および保持されるようになされている。
【００５４】
ここで、弾接部材案内保持部４８の導入用斜面部４６および案内面部４７は、位置規定部３１の部分に対して設けられている。
【００５５】
（構成６）
上記において、ボールなどの弾接部材１６が、導入用斜面部４６と案内面部４７との間に設けられた角取部５１によって滑らかに案内面部４７へと移行され、案内面部４７の他端寄りの位置に設けられた案内面部４７とは逆勾配の緩い停止用傾斜面部５２によって自然停止されるように構成されている。
【００５６】
この場合、案内面部４７と停止用傾斜面部５２との間にも、緩いアール部５３を設けるようにしても良い。
【００５７】
（構成７）
上記において、図１１に示すように、ボールなどの弾接部材１６が、案内面部４７に設けられた軸線方向８へ延びる溝部５５によって軸線方向８に案内されると共に、周方向１１の位置が安定されるようになされている。
【００５８】
ここで、溝部５５は、図１１（ａ）に示すような角溝５５ａとしても、図１１（ｂ）に示すような丸溝５５ｂとしても良い。また、溝部５５は、導入用斜面部４６に対しても設けるようにしても良い。
【００５９】
（構成８）
上記において、ボールなどの弾接部材１６が、治具本体筒部２２の外周面に設けられた軸線方向８へ延びる装着補助溝部５７を利用して筒状保持部材１４に装着されるようになされている。
【００６０】
ここで、上記した装着補助溝部５７は、弾接部材１６の筒状保持部材１４への装着作業性や、治具本体筒部２２に対する指掛かり性などを考慮して、筒状保持部材１４の幅寸法とほぼ等しい幅寸法を有するものとされる。
【００６１】
＜作用＞以下、この実施例の作用について説明する。
【００６２】
ベース部材１に設けられたシャフト取付用筒部６の内部に、ギアシャフト２を挿入配置する。
【００６３】
そして、シャフト軸支部７によって、ギアシャフト２を、シャフト取付用筒部６に対し、回転可能で且つ軸線方向８へ移動不能に係止保持させる。
【００６４】
また、節度感発生部９によって、ギアシャフト２の回転に伴い節度感が発生されるようにする。
【００６５】
節度感発生部９では、筒状保持部材１４に弾性体１５を介して出入自在に収容保持された弾接部材１６が、節度感発生用溝部１２に弾接した状態で周方向１１に相対変位する際に、節度感発生用溝部１２を乗越えることにより、節度感が発生されることになる。
【００６６】
＜効果＞この実施例によれば、以下のような効果を得ることができる。
【００６７】
（効果１）
ギアシャフト２は、シャフト取付用筒部６に対し、取付治具２１を用いて取付けられる。
【００６８】
即ち、図１２〜図１４に順に示すように、取付治具２１は、治具本体筒部２２の一端側に設けられた開口部２２ａからギアシャフト２を治具本体筒部２２の内部へ収容保持させるようにする。そして、図１５に示すように、治具本体筒部２２の他端側に設けられた治具操作部２３によって、治具本体筒部２２の内部に収容保持されたギアシャフト２を、シャフト取付用筒部６の内部へ押込むようにする。
【００６９】
この際、ギアシャフト２は、治具保持部２５によって、弾接部材１６と協働して治具本体筒部２２の内部での位置保持がなされる。
【００７０】
ギアシャフト２の押込時には、治具本体筒部２２の一端側をシャフト取付用筒部６の手前側開口部に設けられた治具連接部２６に対して連接させて、ギアシャフト２の軸線方向８の位置を合わせるようにする。
【００７１】
そして、シャフト取付用筒部６へギアシャフト２を取付けるのに、上記したような専用の取付治具２１を用いるようにしているので、ベース部材１やシャフト取付用筒部６の形状が複雑であっても、ギアシャフト２の取付を容易化することが可能となる。
【００７２】
（効果２）
そして、治具保持部２５としての大径フランジ部２８は、治具本体筒部２２の内部に摺接嵌合されると共に、シャフト取付用筒部６の手前側開口部の端面に当接係止されることになる。
【００７３】
また、治具連接部２６としての筒状突出壁部２９は、治具本体筒部２２の内部に摺接嵌合されることになる。
【００７４】
そして、大径フランジ部２８と筒状突出壁部２９とは、取付位置決定部３２，３３と、治具本体筒部２２に設けられた位置規定部３１とによって、周方向１１の位置決めが行われる。
【００７５】
（効果３）
ベース部材１のシャフト軸支部７では、ギアシャフト２の外周部に張出形成された複数段の小径フランジ部３７，３８が、シャフト取付用筒部６の奥部に対し軸線方向８に複数段設けられた爪部３５，３６のそれぞれに対し回転可能で且つ軸線方向８へ移動不能に係止されることにより、ギアシャフト２が保持される。
【００７６】
そして、治具本体筒部２２の一端側をシャフト取付用筒部６の手前側開口部に対して連接した時に、最も手前側の爪部３６と最も奥側の小径フランジ部３７とが係止されて、ギアシャフト２が仮保持されることになる。
【００７７】
また、最も手前側の爪部３６に設けた傾斜面部３６ａによって、仮保持の際に、ギアシャフト２の概略の芯出しが行われる。
【００７８】
（効果４）
ギアシャフト２の大径フランジ部２８における、取付治具２１の治具操作部２３側の面に設けられたシャフト位置設定部４４が、治具操作部２３に対して当接することにより、ギアシャフト２の仮保持位置が設定されると共に、治具操作部２３とギアシャフト２の他の部分との接触による損傷が防止される。
【００７９】
（効果５）
弾接部材１６を筒状保持部材１４へ装着しつつギアシャフト２を取付治具２１へセットする際に、弾接部材１６は、治具本体筒部２２の内部で、弾接部材案内保持部４８における、他端側へ進むに従い中心へ向かう短い導入用斜面部４６によって弾接力を急激に強められた後、導入用斜面部４６の他端側に位置して、他端側へ向かって緩やかに半径方向１３外方へ向かう案内面部４７によって弾接力が緩やかに弱められる。これにより、弾接部材１６は、導入用斜面部４６を乗越えて外れ難い状態になった後に、導入用斜面部４６に沿って他端側（奥側）へ入込むように自然付勢される。そして、この導入用斜面部４６による外れ止め作用と、案内面部４７の弾接力解放による追込作用により、ギアシャフト２は、治具本体筒部２２の内部で、軸線方向８の所望の位置に安定して案内および保持されることになる。
【００８０】
このように、治具本体筒部２２の側に弾接部材案内保持部４８を設けることにより、ベース部材１やシャフト取付用筒部６の形状が複雑であっても、弾接部材案内保持部４８をうまく機能させることが可能となると共に、弾接部材案内保持部４８が組付後に邪魔になるのを防止することができる。
【００８１】
（効果６）
弾接部材１６を筒状保持部材１４へ装着しつつギアシャフト２を取付治具２１へセットする際に、弾接部材１６は、導入用斜面部４６と案内面部４７との間に設けられた角取部５１によって滑らかに案内面部４７へと移行される。また、案内面部４７の他端寄りの位置に設けられた案内面部４７とは逆勾配の緩い停止用傾斜面部５２によって、案内面部４７と停止用傾斜面部５２との境界部分で軸線方向８の位置が自然停止される。これにより、ギアシャフト２を、治具本体筒部２２の内部の所望の位置にスムーズにセットすることが可能となる。
【００８２】
（効果７）
弾接部材１６を筒状保持部材１４へ装着しつつギアシャフト２を取付治具２１へセットする際に、弾接部材１６は、案内面部４７に設けられた軸線方向８へ延びる溝部５５によって軸線方向８に案内されると共に、周方向１１の位置が安定される。よって、ギアシャフト２は、治具本体筒部２２の内部で、軸線方向８および周方向１１に対しフラ付くことなく安定保持されることになる。
【００８３】
（効果８）
弾接部材１６を筒状保持部材１４へ装着しつつギアシャフト２を取付治具２１へセットする際に、治具本体筒部２２の外周面に設けられた軸線方向８へ延びる装着補助溝部５７が利用される。この装着補助溝部５７は、弾接部材１６の案内と、指掛かりとの両方に使用することができる。
【００８４】
即ち、この装着補助溝部５７に沿って弾接部材１６を案内することによって、弾接部材１６の筒状保持部材１４の外への落下を防止し、弾接部材１６を筒状保持部材１４へ容易且つ確実に挿入させることができるようになる。これにより、弾接部材１６の取扱いを容易化することができる。
【００８５】
また、装着補助溝部５７は、弾性体１５の弾性力に抗して弾接部材１６を筒状保持部材１４へ挿入する際や、弾性体１５の弾性力に抗して弾接部材１６を押し込みつつギアシャフト２を治具本体筒部２２に挿入する際の有効な指掛かりとなるため、これらに対する作業性を向上することができる。
【００８６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００８７】
１    ベース部材
２    ギアシャフト
６    シャフト取付用筒部
７    シャフト軸支部
８    軸線方向
９    節度感発生部
１１  周方向
１２  節度感発生用溝部
１３  半径方向
１４  筒状保持部材
１５  弾性体
１６  弾接部材
２１  取付治具
２２  治具本体筒部
２２ａ  開口部
２３  治具操作部
２５  治具保持部
２６  治具連接部
２８  大径フランジ部
２９  筒状突出壁部
３１  位置規定部
３２，３３  取付位置決定部
３５，３６  爪部
３６ａ  傾斜面部
３７，３８  小径フランジ部
４４  シャフト位置設定部
４６  導入用斜面部
４７  案内面部
４８  弾接部材案内保持部
５１  角取部
５２  停止用傾斜面部
５５  溝部
５７  装着補助溝部
【図１】
2013016101.tif 000003
【図２】
2013016101.tif 000004
【図３】
2013016101.tif 000005
【図４】
2013016101.tif 000006
【図５】
2013016101.tif 000007
【図６】
2013016101.tif 000008
【図７】
2013016101.tif 000009
【図８】
2013016101.tif 000010
【図９】
2013016101.tif 000011
【図１０】
2013016101.tif 000012
【図１１】
2013016101.tif 000013
【図１２】
2013016101.tif 000014
【図１３】
2013016101.tif 000015
【図１４】
2013016101.tif 000016
【図１５】
2013016101.tif 000017